(57)【特許請求の範囲】
【請求項１】
傾斜する屋根に固定された支持金具と、前記支持金具に締結具で締結されたソーラーシステムと、前記支持金具と前記ソーラーシステムとの間に設置されて前記支持金具を被覆する支持金具カバーと、を備えるソーラーシステムの取付方法であって、
前記屋根は、屋根下地上に複数のスレートが敷設されて構成され、
前記各スレートの水下側の端部が水下側に敷設された前記スレート上に重ね合わせられて、前記各スレートの水下側の部位が露出するとともに前記屋根の屋根面が段状を成し、
前記支持金具及び前記支持カバーは、単一の前記スレートの露出している部位の上に設置され、
前記支持金具カバーは、前記支持金具を覆い前記スレート側に開口するカバー本体と、前記カバー本体の開口周縁に延設された周縁部と、前記周縁部の前記スレート側面に設置された防水シールと、を有し、
前記屋根に固定された前記支持金具に前記支持金具カバーを被せる被せ工程と、
前記支持金具カバー上に前記ソーラーシステムを配置する配置工程と、
前記締結具で前記支持金具と前記ソーラーシステムとを締結する締結工程と、
を備え、
前記締結工程の前の状態では、前記カバー本体と前記支持金具との間に隙間を有し、
前記締結工程において、前記ソーラーシステムが前記支持金具カバーを押圧し、前記防水シールが圧縮されて前記カバー本体が前記支持金具に当接することを特徴とするソーラーシステムの取付方法。
【請求項２】
前記支持金具カバーの周縁部は、水下側に排水口が形成されていることを特徴とする請求項１に記載のソーラーシステムの取付方法。
【請求項３】
前記支持金具カバーのカバー本体は、
水上側に形成された面が中央部から側部に向かうほど水上側から水下側に傾斜した傾斜面となっていることを特徴とする請求項１又は請求項２に記載のソーラーシステムの取付方法。
【請求項４】
前記複数のスレートは、水下側の端部を水下側に敷設された前記被覆材上に重ね合わせ、前記屋根下地に対し傾斜させて空間が形成されるように敷設され、
前記空間には、前記空間の勾配形状に合わせた防水部材が敷設され、
前記支持金具は、前記スレート及び前記防水部材を貫通して前記屋根下地に打ち込まれた固定具により固定されていることを特徴とする請求項１乃至請求項３のいずれか１項に記載のソーラーシステムの取付方法。
【請求項５】
前記防水部材は、取り外し可能な目印部材を有し、
前記目印部材は、前記防水部材の上方に敷設される前記スレートの水下側端部よりも水下側に延出して露出していることを特徴する請求項４に記載のソーラーシステムの取付方法。
【発明の詳細な説明】
【技術分野】
【０００１】
本発明は、屋根に固定される支持金具にソーラーシステムを取り付けるソーラーシステムの取付方法に関する。
【背景技術】
【０００２】
従来から、ソーラー発電パネルやソーラー温水パネルなどの太陽光パネルを備えるソーラーシステムは、建物の屋根に設置されていることが多い。このようにソーラーシステムが建物の屋根に設置される場合、ソーラーシステムと建物の屋根との間には、ソーラーシステムを支持するための支持金具が設けられる。そして、ソーラーシステムは、支持金具にボルトとナットとにより（以下において、「締結具」と称する。）強固に締結されて、建物の屋根に設置される。
【０００３】
また、支持金具は、固定されるソーラーシステムが風圧などによる浮き上がり力を受けるため、ボルトや釘等の固定具によりしっかりと屋根に固定される必要がある。一方で、支持金具を屋根に固定する場合、固定具が挿通する孔に雨水が浸入することを防止する必要がある。
【０００４】
そのため、近年のソーラーシステムにおいて、下記特許文献に開示されるように、支持金具を上方から覆うカバー部材を設け、固定具が挿通する孔に雨水が浸入することを防止している。
また、下記特許文献に開示のカバー部材によれば、屋根とカバー部材との隙間をなくすために、締結具で支持金具に締結されている。
【先行技術文献】
【特許文献】
【０００５】
【特許文献１】特開２００６−５２５２９号公報
【発明の概要】
【発明が解決しようとする課題】
【０００６】
しかし、上記特許文献に記載のソーラーシステムは、ソーラーシステムを支持金具に締結する作業のほかに、カバー部材を支持金具に締結する作業が必要であった。そのため、カバー部材の締結作業が、ソーラーシステムの取り付け作業数を増加させて、ソーラーシステムの取り付け作業を煩雑にさせていた。
【０００７】
本発明は、前記の問題を解決するために創作されたものであり、取り付け作業が容易であり、かつ、高い防水機能を発揮するソーラーシステムの取付方法を提供することを課題とする。
【課題を解決するための手段】
【０００８】
本発明に係るソーラーシステムの取付方法は、傾斜する屋根に固定された支持金具と、前記支持金具に締結具で締結されたソーラーシステムと、前記支持金具と前記ソーラーシステムとの間に設置されて前記支持金具を被覆する支持金具カバーと、を備えるソーラーシステムの取付方法であって、前記屋根は、屋根下地上に複数のスレートが敷設されて構成され、前記各スレートの水下側の端部が水下側に敷設された前記スレート上に重ね合わせられて、前記各スレートの水下側の部位が露出するとともに前記屋根の屋根面が段状を成し、前記支持金具及び前記支持カバーは、単一の前記スレートの露出している部位の上に設置され、前記支持金具カバーは、前記支持金具を覆い前記スレート側に開口するカバー本体と、前記カバー本体の開口周縁に延設された周縁部と、前記周縁部の前記スレート側面に設置された防水シールと、を有し、前記屋根に固定された前記支持金具に前記支持金具カバーを被せる被せ工程と、前記支持金具カバー上に前記ソーラーシステムを配置する配置工程と、前記締結具で前記支持金具と前記ソーラーシステムとを締結する締結工程と、を備え、前記締結工程の前の状態では、前記カバー本体と前記支持金具との間に隙間を有し、前記締結工程において、前記ソーラーシステムが前記支持金具カバーを押圧し、前記防水シールが圧縮されて前記カバー本体が前記支持金具に当接することを特徴とする。
【０００９】
前記する発明によれば、締結具によりソーラーシステムを支持金具に締結する作業により、ソーラーシステムを支持金具に固定できるとともに、防水シールが圧縮されて屋根とカバー部材との隙間がなくなり防水を図れる。
そのため、カバー部材を締結する作業が不要となり、ソーラーシステムの取り付け作業を簡易化できるとともに、高い防水機能を発揮できる。
【００１０】
また、前記支持金具カバーの周縁部は、水下側に排水口が形成されていることが好ましい。
【００１１】
前記する構成によれば、排水口が形成されているため、金具支持カバーの内部と外部とが連通している。そのため、万が一、金具支持カバー内に雨水が浸入したとしても、雨水を自重により排出することができる。
【００１２】
また、前記支持金具カバーのカバー本体は、水上側に形成された面が中央部から側部に向かうほど水上側から水下側に傾斜した傾斜面となっていることが好ましい。
【００１３】
前記する構成によれば、支持金具カバーは水上側に傾斜面を有する。そのため、支持金具カバーは、屋根に沿って水上側から支持金具カバーに向かって流れる雨水を溜めることなく排水できる。
【００１４】
また、前記複数のスレートは、水下側の端部を水下側に敷設された前記被覆材上に重ね合わせ、前記屋根下地に対し傾斜させて空間が形成されるように敷設され、前記空間には、前記空間の勾配形状に合わせた防水部材が敷設され、前記支持金具は、前記スレート及び前記防水部材を貫通して前記屋根下地に打ち込まれた固定具により固定されていることが好ましい。
【００１５】
記する構成によれば、スレートの下方の空間に空間の勾配形状に合わせた防水部材が敷設されているため、スレートと防水部材との間及び防水部材と屋根下地との間に隙間がなく、スレートの撓みや、固定具の打ち込みによる割れを抑制できる。
【００１６】
前記防水部材は、取り外し可能な目印部材を有し、前記目印部材は、前記防水部材の上方に敷設されるスレートの水下側端部よりも水下側に延出して露出していることが好ましい。
【００１７】
前記する構成によれば、防水部材の上にスレートを敷設したとしても、露出している目印部材により、防水部材の位置を認識することができる。そのため、防水部材の位置、すなわち、支持金具の設置位置を容易に確認することができる。
【発明の効果】
【００１８】
本発明によれば、取り付け作業が容易であり、かつ、高い防水機能を発揮するソーラーシステムの取付方法を提供することができる。
【図面の簡単な説明】
【００１９】
【図１】ソーラーシステムを備える屋根の平面図である。
【図２】図１のＩ−Ｉ線断面図である。
【図３】図１のII−II線断面図である。
【図４】図１のIII−III線断面図である。
【図５】図１のＩＶ−ＩＶ線断面図である。
【図６】図１のＶ−Ｖ線断面図である。
【図７】（ａ）は、支持金具カバーの平面図、（ｂ）は、図７（ａ）のＶＩ―ＶＩ断面図である。
【図８】ソーラーシステムの取付方法の手順を４段階に分けて説明するための説明図であり、（ａ）は第１段階の平面図、（ｂ）は第２段階の平面図である。
【図９】（ａ）は図８（ａ）のＶＩＩ−ＶＩＩ線断面図、（ｂ）は図８（ｂ）のＶＩＩＩ−ＶＩＩＩ線断面図である。
【図１０】ソーラーシステムの取付方法の手順を４段階に分けて説明するための説明図であり、（ａ）は第３段階の平面図、（ｂ）は第４段階の平面図である。
【図１１】（ａ）は図１０（ａ）のＩＸ−ＩＸ線断面図、（ｂ）は図１０（ｂ）のＸ−Ｘ線断面図である。
【発明を実施するための形態】
【００２０】
本発明の実施形態について、図面を参照して詳細に説明する。本実施形態では、勾配屋根上にソーラーシステムを取り付ける場合を例に挙げて説明する。説明において、同一の要素には同一の符号を付し、重複する説明を省略する。また、方向を説明する場合、勾配の上側を「水上側」と称し、勾配の下側を「水下側」と称する。
【００２１】
図１は、ソーラーシステムを備える屋根の平面図である。図２は、図１のＩ−Ｉ線断面図である。図３は、図１のII−II線断面図である。図４は、図１のIII−III線断面図である。
図１に示すように、ソーラーシステム１は、例えば、太陽光を利用して発電を行なう太陽光発電装置であり、複数の支持金具１０を介して、屋根Ｒ上に設置されている。ソーラーシステム１は、屋根Ｒの表面から上方に離間した位置に整列配置された複数のソーラー発電パネル２と、ソーラー発電パネル２を支持する下地フレーム３とを有している。
なお、本実施形態では、屋根Ｒに設置されるソーラーシステム１として、太陽光発電装置を用いて説明しているが、本発明はこれに限らず、太陽光を利用して水や不凍水などを温める太陽熱温水器などであってもよい。
【００２２】
ソーラー発電パネル２は、太陽光を受けて発電を行なう部材である。ソーラー発電パネル２は、図１に示すように、下地フレーム３上に固定されて、屋根Ｒの勾配方向と、屋根Ｒの表面に沿って勾配方向と直交する左右方向とに沿って、それぞれ複数枚配置されて屋根Ｒを覆っている。
なお、屋根Ｒに設置されるソーラーシステム１が太陽熱温水器の場合、ソーラー発電パネル２に替えて、太陽光で温水を生成するソーラー温水パネル（図示しない）を設置してもよい。
【００２３】
下地フレーム３は、図１に示すように、左右方向に互いに間隔を空けて、勾配方向に沿って延在して配置されている。そして、下地フレーム３は、２本一組となって、勾配方向に配列するソーラー発電パネル２を支持している。
図３に示すように、下地フレーム３は、アルミニウム製またはステンレス製のプレート、あるいは防錆処理が施された鋼製プレートを屈曲させて、上向きに開口する断面視略コ字状に形成されている。
下地フレーム３の側面には、ソーラー発電パネル２を取り付けるための締結具Ｔ１を貫通させる貫通孔（図示しない）が形成されている。
また、下地フレーム３の下面中央部には、上方に窪む凹部３ａが形成されている。この凹部３ａにより、下地フレーム３の下面の剛性が高められている。凹部３ａには、支持金具１０に固定されるための締結具Ｔ３を貫通させる貫通孔（図示しない）が形成されている。
そして、下地フレーム３には、図２及び図３に示すように、ソーラー発電パネル２を下地フレーム３に固定するための固定金具４が取り付けられている。
【００２４】
図２及び図３に示すように、固定金具４は、下地フレーム３の内部に配置されたベース金具４１と、勾配方向に隣り合うソーラー発電パネル２同士の間に配置された下押さえ金具４２及び上押さえ金具４３とを有している。
そのほか、図４に示すように、固定金具４は、下地フレーム３の水下側端部に、化粧カバー４４と落下防止部材４５とを有している。
【００２５】
図３に示すように、ベース金具４１は、下向きに開口する断面視略コ字状の部材である。ベース金具４１は、側面の両側に、下地フレーム３に固定されるための締結具Ｔ１を貫通させる貫通孔（図示しない）が形成されており、下地フレーム３の内部で左右方向から締結具Ｔ１により締結されている。
さらに、ベース金具４１の上面には、下押さえ金具４２及び上押さえ金具４３を固定するための締結具Ｔ２を貫通させる貫通孔（図示しない）が形成されている。
【００２６】
図２に示すように、下押さえ金具４２は、下向きに開口する下溝部４２ａと、その下溝部４２ａの両開口端から外向きに延出するフランジ４２ｂ、４２ｂを有する部材である。
また、上押さえ金具４３は、上向きに開口する上溝部４３ａと、その上溝部４３ａの両開口端から外向きに延出するフランジ４３ｂ、４３ｂを有する部材である。
また、下押さえ金具４２の下溝部４２ａの上面と、上押さえ金具４３の上溝部４３ａの下面とには、ベース金具４１に固定されるための締結具Ｔ２に貫通される貫通孔（図示しない）が形成されている。
そして、下押さえ金具４２と上押さえ金具４３とは、下溝部４２ａの上面と上溝部４３ａの下面とを当接するように組み合わせて、締結具Ｔ２によりベース金具４１の上方に締結されている。
これにより、図２に示すように、下押さえ金具４２と上押さえ金具４３とが一体となって、水上側及び水下側に開口する断面視略コ字状を構成している。そして、この下押さえ金具４２と上押さえ金具４３とにより、ソーラー発電パネル２の上端又は下端を挟持して、ソーラー発電パネル２を下地フレーム３上に固定している。
【００２７】
図４に示すように、化粧カバー４４は、上溝部４３ａの側壁に沿って延在する係合部４４ａと、係合部４４ａの上端からフランジ４３ｂに沿って水下側に延出する上壁部４４ｂと、上壁部４４ｂの水下側端部から下方に延出して下地フレーム３の上面に到達する横壁部４４ｃと、横壁部４４ｃの下端から下地フレーム３の上面に沿って水下側に延出するフランジ４４ｄと、フランジ４４ｄの水下側端部から屋根Ｒに向かって延出する水切り部４４ｅとを有している。
【００２８】
係合部４４ａは、上押さえ金具４３に係合して、風圧により化粧カバー４４が捲り上がることを防止するための部位である。
上壁部４４ｂと横壁部４４ｃとは、下押さえ金具４２の水下側のフランジ４２ｂと、上押さえ金具４３との水下側のフランジ４３ｂとを被覆するための部位である。
フランジ４４ｄには、下地フレーム３の上面に固定されるためのビスが貫通する孔部（図示しない）が形成されている。そして、フランジ４４ｄの孔部（図示しない）にビスが貫通して、下地フレーム３の上面にフランジ４４ｄが固定されている。
水切り部４４ｅは、下地フレーム３の水下側端部を覆って、下地フレーム３内に雨水が浸入することを防止している。
【００２９】
落下防止部材４５は、図４に示すように、鋼板を折り曲げて形成された略Ｌ字状の部材である。落下防止部材４５は、下地フレーム３に固定されて、下地フレーム３に固定された下押さえ金具４２のフランジ４２ｂの端部に当接している。
また、この落下防止部材４５は、下押さえ金具４２と上押さえ金具４３とに挿通する締結具Ｔ２をベース金具４１に締結する前に、下地フレーム３に固定されている。
そのため、下押さえ金具４２と上押さえ金具４３とを挿通する締結具Ｔ２をベース金具４１に締結する場合に、下押さえ金具４２のフランジ４２ｂを落下防止部材４５に当接させながら固定することができ、作業中に誤って、下押さえ金具４２と上押さえ金具４３と締結具Ｔ２とが屋根Ｒから落下することを防止できる。
【００３０】
図５は、図１のＩＶ−ＩＶ線断面図である。図６は、図１のＶ−Ｖ線断面図である。
次に、屋根Ｒについて説明する。実施形態における屋根Ｒは、図１に示すように、屋根下地Ｒ１と、屋根下地Ｒ１を被覆する複数のスレートＳとから構成されている。ここで、被覆材であるスレートＳは、例えば、粘板系、セメント系、金属系等の板状部材の中から適宜選択して用いることができる。
また、スレートＳは、図５に示すように、水下側端部を、水下側に隣接して敷設されたスレートＳ上に重ね合わせて、屋根下地Ｒ１に対し傾斜させて空間Ｕ（図２参照）が形成されるように敷設されている。なお、図５に示すように、空間Ｕのうち、上方に支持金具１０が設置される空間Ｕには、防水部材３０が敷設されている。
また、屋根下地Ｒ１は、図２及び図３に示すように、面材Ｒ２と、面材Ｒ２を支持する垂木Ｒ３とを備えている。なお、面材Ｒ２は、構造用合板などの野地面材である。
【００３１】
図５及び図６に示すように、支持金具１０は、下向きに開口する断面視略コ字状の支持部１１と、支持部１１の両開口端から外向きに延出する被固定部１２とを有している。
【００３２】
図５に示すように、支持部１１の上面には、下地フレーム３を固定させるための締結具Ｔ３を貫通させる貫通孔１１ａが形成されて、締結具Ｔ３により下地フレーム３が締結されている。
また、支持部１１の上面は、勾配方向に平行となるように形成されており、締結された下地フレーム３を勾配方向に延在するように支持している。
なお、本実施形態において、締結具Ｔ３の締結に座金Ｚを用いており、締結具Ｔ３による固定を強固なものとしている。
【００３３】
図５に示すように、被固定部１２には、屋根Ｒに固定されるための固定具Ｋに貫通される貫通孔１２ａが形成されている。そして、貫通孔１２ａを貫通して屋根Ｒに打ち込まれた固定具Ｋにより、被固定部１２が屋根Ｒ上に固定されている。
なお、固定具Ｋは、打ち込まれたことにより屋根Ｒに形成された孔部Ｋ１を挿通して、２枚のスレートＳと防水部材３０と面材Ｒ２とを貫通している。
【００３４】
図７（ａ）は、支持金具カバーの平面図であり、図７（ｂ）は支持金具カバーの側面図である。
図７に示すように、支持金具カバー２０は、屋根Ｒ側に開口するカバー本体２１と、カバー本体２１の開口周縁に延設された周縁部２２と、周縁部２２の屋根Ｒ側の面に設置された防水シール２３とを有している。
【００３５】
カバー本体２１は、内部に支持金具１０を被覆可能な空間を有し、屋根Ｒに固定される支持金具１０を覆うように屋根Ｒ上に設置されている。なお、カバー本体２１の上部には、平坦面２１ａが形成されている。
図７（ｂ）に示すように、カバー本体２１は、支持金具１０を被覆するように屋根Ｒに設置された場合、支持金具１０の支持部１１と平坦面２１ａとの間が隙間Ｗを有するように形成されている。なお、隙間Ｗとは、締結具Ｔ３の締結によって、防水シール２３が圧縮する厚みに対応している。
また、平坦面２１ａには、支持金具１０とソーラーシステム１とを締結するための締結具Ｔ３を貫通させる貫通孔２１ｂが形成されている。なお、平坦面２１ａは、屋根Ｒに設置された場合に、勾配方向に平行となるように形成されている。
そして、図５、図６に示すように、カバー本体２１は、貫通孔２１ｂを貫通する締結具Ｔ３により締結された支持金具１０とソーラーシステム１との間に平坦面２１ａが挟まれて、屋根Ｒ上に固定されている。
さらに、カバー本体２１は、屋根Ｒに設置された場合に水上側を向く面に、湾曲面２１ｃを有している。この湾曲面２１ｃは、中央部から側部に向かうほど水上側から水下側に湾曲しながら傾斜する面である。
【００３６】
周縁部２２は、カバー本体２１内への雨水の浸入を防止する部位である。また、周縁部２２は、屋根Ｒに配設された場合の水下側に、カバー本体２１の内部空間と外部を連通させて、内部に浸入した雨水を排出する切り欠き２２ａを有している。
なお、実施形態において、周縁部２２は、切り欠き２２ａを有しているが、本発明はこれに限定されない。例えば、切り欠き２２ａに替えて、カバー本体２１の内部空間と外部を連通させる管部材（図示しない）を設けて雨水を排出してもよい。
防水シール２３は、周縁部２２の底面側に張り付けられて屋根Ｒに密着し、周縁部２２と屋根Ｒとの間で周縁部２２と屋根Ｒとの隙間を塞ぐ役割を果たしている。
また、本実施形態の防水シール２３は、より高い防水性を発揮するために、周縁部２２と屋根Ｒとの間で圧縮されている。なお、防水シール２３は、切り欠き２２ａが形成された周縁部２２には張り付けられていない。また、防水シール２３としては、例えば、ブチルシートなどが挙げられるが、本発明においてはこれに限定されない。
【００３７】
また、図５に示すように、支持金具１０の下方には防水部材３０が配設されている。この防水部材３０は、支持金具１０が固定されるスレートＳに対応する位置する空間Ｕに敷設されている。
この防水部材３０の下面は、防水部材３０の下方に配設される面材Ｒ２と平行になるように形成され、一方で、防水部材３０の上面は、防水部材３０の上方に配設されるスレートＳと平行となるように形成されている。
そのため、防水部材３０は、空間Ｕの勾配形状に合わせた形状に形成されて、面材Ｒ２上と防水部材３０との間、及び防水部材３０とスレートＳとの間に隙間が生じないようになっている。
なお、防水部材３０は、屋根Ｒにソーラーシステム１を敷設する前において、取り外し可能に貼着された目印部材３１（図８参照）を備えている。また、この目印部材３１は、防水部材３０の上方に敷設されるスレートＳの水下側端部よりも、水下側に延出して露出するように形成されている（図８参照）。
【００３８】
本実施形態に係るソーラーシステム１は、基本的に以上のように構成されるものであり、次に、ソーラーシステム１の取付方法について説明する。
図８は、ソーラーシステムの取付方法の手順を数段階に分けて説明するための説明図であり、（ａ）は第１段階の平面図、（ｂ）は第２段階の平面図である。図９（ａ）は、図８（ａ）のＶＩＩ−ＶＩＩ線断面図、（ｂ）は、図８（ｂ）のＶＩＩＩ−ＶＩＩＩ線断面図である。図１０は、ソーラーシステムの取付方法の手順を数段階に分けて説明するための説明図であり、（ａ）は第３段階の平面図、（ｂ）は第４段階の平面図である。図１１（ａ）は、図１０（ａ）のＩＸ−ＩＸ線断面図、（ｂ）は、図１０（ｂ）のＸ−Ｘ線断面図である。
【００３９】
第１段階では、図８（ａ）、図９（ａ）に示すように、スレートＳと防水部材３０との敷設を行う。
詳細には、まず、水下側から水上側に向かって、スレートＳを面材Ｒ２上に敷設する。ここで、スレートＳの敷設方法は、スレートＳの水下側の端部を、水下側に隣接して敷設されたスレートＳ上に重ね合わせ、屋根下地Ｒ１に対して傾斜するように敷設する。これにより、スレートＳと屋根下地Ｒ１との間に、空間Ｕ（図２、図４、図５参照）が形成され、防水部材３０を敷設できる。
【００４０】
また、防水部材３０は、支持金具１０の設置箇所に対応するスレートＳを敷設する前に、面材Ｒ２上に敷設する。なお、防水部材３０を敷設する場合には、図８（ａ）に示すように、目印部材３１が水下側に向かって延在するように配置する。
【００４１】
第２段階では、図８（ｂ）、図９（ｂ）に示すように、面材Ｒ２上に敷設した防水部材３０上にスレートＳを敷設して、屋根Ｒを完成させる。なお、防水部材３０に貼着された目印部材３１は、防水部材３０の上方に敷設されるスレートＳの水下側端部よりも、水下側に延出して露出するように形成されている。よって、図８（ｂ）に示すように、スレートＳから、目印部材３１の端部が露出している。なお、図９（ｂ）に示すように、本実施形態においては、防水部材３０の上方には、スレートＳが２枚敷設される。
【００４２】
第３段階では、図１０（ａ）、図１１（ａ）に示すように、まず、支持金具１０を屋根Ｒに配置する。ここで、支持金具１０の固定位置は、スレートＳに被覆されて視認できない防水部材３０上である。よって、スレートＳの間から露出している目印部材３１を基準として、支持金具１０を配置する。なお、支持金具１０を屋根Ｒに配置する際に、締結具Ｔ３を構成するボルトを座金Ｚで係止させて、貫通孔１１ａに挿通させた状態で配置する。
【００４３】
そして、支持金具１０の貫通孔１２ａに固定具Ｋを打ち込み、支持金具１０をスレートＳ上に固定する。ここで、固定具Ｋは、図１１（ａ）に示すように、支持金具１０の下方に配設される２枚のスレートＳと防水部材３０とＲ２面材とを貫通し、垂木Ｒ３に到達するようにしっかりと打ち込む。このとき、固定具Ｋが打ち込まれる下方の空間Ｕには、防水部材３０が配置されているため、スレートＳに固定具Ｋの打ち込んだとしても、スレートＳが撓む若しくは割れることがない。
【００４４】
支持金具１０の固定作業が終了したら、図１１（ａ）に示すように、スレートＳの間から露出する目印部材３１を引っ張り、防水部材３０から分離させて、屋根Ｒから目印部材３１を除去する。
【００４５】
つぎに、図１１（ａ）に示すように、屋根Ｒに固定された支持金具１０を覆うように支持金具カバー２０を被せる。ここで、支持金具１０に設けられた締結具Ｔ３を構成するボルトが支持金具カバー２０の貫通孔２１ｂを挿通するように被せる。
また、支持金具カバー２０は、湾曲面２１ｃ（図７参照）が水上側を向くように配置する。なお、この締結具Ｔ３を締め付ける前の状態において、支持金具１０の支持部１１と、その支持金具１０を覆う支持金具カバー２０の平坦面２１ａとは、隙間Ｗを有している（図７（ｂ）参照。）。
【００４６】
第４段階では、図１０（ｂ）、図１１（ｂ）に示すように、まず、支持金具１０上に下地フレーム３を配置する。
詳細には、支持金具１０に設けられた締結具Ｔ３を構成するボルトが下地フレーム３の貫通孔を貫通するように、下地フレーム３の凹部３ａを支持金具カバー２０の平坦面２１ａに当接させて配置する（詳しくは図３を参照。）。
【００４７】
次に、締結具Ｔ３を構成するナットを支持金具１０に設けられたボルトに螺合させて、支持金具１０と下地フレーム３との締め付けを行う。ここで、締結具Ｔ３の締結により、下地フレーム３が支持金具１０側に移動するため、下地フレーム３の凹部３ａが支持金具カバー２０の平坦面２１ａを支持金具１０側に押圧する。
そして、支持金具カバー２０にかかる荷重が周縁部２２の底面に設けられた防水シール２３に作用し、防水シール２３が押し潰されて圧縮し屋根Ｒに密着する。
そのため、図１１（ｂ）に示すように、支持金具カバー２０の平坦面２１ａが、支持金具１０側に移動して支持金具１０の支持部１１に当接して、支持金具１０が下地フレーム３を支持する。
これにより、下地フレーム３が支持金具１０に強固に固定され、また、支持金具カバー２０が下地フレーム３と支持金具１０に挟持される。
【００４８】
以上の施工方法より、屋根Ｒに支持金具１０と、支持金具カバー２０と、下地フレーム３とを取り付けることができる。
その後に取り付け作業については、図２及び図３に示すように、下地フレーム３に締結具Ｔ２、Ｔ３により固定金具４を固定する。さらに、その固定金具４に、ソーラー発電パネル２を固定する。そして、図４に示すように、下地フレーム３の水下側端部に、化粧カバー４４と落下防止部材４５をビス止めにより固定して、ソーラーシステム１が完成する。
【００４９】
続いて、本実施形態に係るソーラーシステム１の取付方法の作用効果について説明する。
【００５０】
本実施形態のソーラーシステム１の取付方法によれば、締結具Ｔ３によりソーラーシステム１を支持金具１０に締結する作業により、ソーラーシステム１を支持金具１０に固定できるとともに、防水シール２３が圧縮されて屋根Ｒと支持金具カバー２０との隙間がなくなり防水を図れる。そのため、そのため従来行われていた支持金具カバー２０を締結具Ｔ３により支持金具１０に締結する作業が不要となり、ソーラーシステム１の取り付け作業を簡易化できる。
【００５１】
また、実施形態のソーラーシステム１に取付方法において、支持金具カバー２０が湾曲面２１ｃを有しているため、屋根Ｒに沿って水上側から流れる雨水を支持金具カバー２０の湾曲面２１ｃに沿って水下側に排水できる。
【００５２】
また、実施形態のソーラーシステム１の取付方法において、図３に示すように、支持金具カバー２０は水下側に切り欠き２２ａを有しているため、仮に、支持金具カバー２０内へ雨水が浸入したとしても、支持金具カバー２０内に溜まることなく、雨水の自重により排水できる。
【００５３】
また、実施形態のソーラーシステム１の取付方法において、防水部材３０上にはスレートＳが敷設されるため、防水部材３０を視認できないが、防水部材３０に貼着される目印部材３１を基準に防水部材３０の位置を認識することができる。そのため、防水部材３０の位置、すなわち、支持金具１０の設置位置を容易に確認することができる。
【００５４】
以上、本発明の実施形態について説明したが、本発明は実施形態に限定されず、本発明の趣旨を逸脱しない範囲で適宜設計変更が可能である。
【符号の説明】
【００５５】
１      ソーラーシステム
２      ソーラー発電パネル
３      下地フレーム
１０    支持金具
１１    支持部
１２    被固定部
２０    支持金具カバー
２１    カバー本体
２２    周縁部
２３    防水シール
３０    防水部材
３１    目印部材
Ｋ      固定具
Ｒ      屋根
Ｓ      スレート
Ｔ、Ｔ１、Ｔ２、Ｔ３  締結具
【図１】
0005953625.tif 000002
【図２】
0005953625.tif 000003
【図３】
0005953625.tif 000004
【図４】
0005953625.tif 000005
【図５】
0005953625.tif 000006
【図６】
0005953625.tif 000007
【図７】
0005953625.tif 000008
【図８】
0005953625.tif 000009
【図９】
0005953625.tif 000010
【図１０】
0005953625.tif 000011
【図１１】
0005953625.tif 000012